(57)【要約】【課題】速度リプル／推力リプルのシステムへの影響を極小に留めることを特徴とするリニアモータ駆動装置を提供する。【解決手段】リニアモータと駆動電流を供給するドライバとで構成されたリニアモータ駆動装置において、ＰＷＭアンプと、前記ＰＷＭアンプよりキャリア周波数が一段と高く、リニアモータの駆動電流をＰＷＭ制御する高キャリアＰＷＭアンプと、ＰＷＭアンプと高キャリアＰＷＭアンプの駆動を切替えるアナログスイッチと、リニアモータ内に大推力用と小推力用の２通りの巻線を備え、大推力時に適したリニアモータ巻線とアンプの組合せと小推力時に適したリニアモータ巻線とアンプの組合せとを、駆動条件に応じて選択的に切替えるものである。【選択図】    図１
2005080452.tif 000002
【特許請求の範囲】
【請求項１】
リニアモータと駆動電流を供給するドライバとで構成されたリニアモータ駆動装置において、
前記ドライバ内にリニアモータの駆動電流をＰＷＭ制御するＰＷＭアンプと、
前記ドライバ内に前記ＰＷＭアンプよりキャリア周波数が一段と高く、リニアモータの駆動電流をＰＷＭ制御する高キャリアＰＷＭアンプと、
前記ドライバ内にＰＷＭアンプと高キャリアＰＷＭアンプの駆動を切替えるアナログスイッチと、
前記リニアモータ内に大推力用と小推力用の２通りの巻線を備え、
大推力時に適したリニアモータ巻線とアンプの組合せと小推力時に適したリニアモータ巻線とアンプの組合せとを、駆動条件に応じて選択的に切替えることを特徴とするリニアモータ駆動装置。
【請求項２】
前記アナログスイッチは、上位からのアンプ切替え信号により、上位指令と後段のＰＷＭアンプ、または高キャリアＰＷＭアンプとの接続を選択し、選択しなかったアンプにはゼロ指令を供給し、リニアモータを駆動することを特徴とする請求項１記載のリニアモータ駆動装置。
【請求項３】
前記リニアモータは、大推力用巻線に比較的安価に製造可能な集中巻での巻線を施し、小推力用巻線に推力リプルを極小に抑制することが可能なヘリカル巻での巻線を施し、各巻線への接続端子を備えることを特徴とする請求項１記載のリニアモータ駆動装置。
【請求項４】
前記ＰＷＭアンプは、上位からのアンプ切替え信号により、上位大推力指令時にリニアモータを駆動することを特徴とする請求項１記載のリニアモータ駆動装置。
【請求項５】
前記高キャリアＰＷＭアンプは、上位からのアンプ切替え信号により、上位小推力指令時にリニアモータを駆動することを特徴とする請求項１記載のリニアモータ駆動装置。
【請求項６】
前記高キャリアＰＷＭアンプは、前記ＰＷＭアンプより一段と高いキャリア周波数でＰＷＭ制御することができ、小推力時の電流リプル／波形歪を更に小さくすることが出来ることを特徴とする請求項１記載のリニアモータ駆動装置。
【請求項７】
システムの駆動は、前記ＰＷＭアンプで前記リニアモータの集中巻巻線に、また、前記高キャリアＰＷＭアンプで前記リニアモータのヘリカル巻巻線に駆動電流を供給する組合せとすることを特徴とする請求項１記載のリニアモータ駆動装置。
【請求項８】
前記リニアモータを半導体製造装置または液晶製造装置の精密位置決め装置に適用した請求項１乃至７記載のリニアモータ駆動装置。
【発明の詳細な説明】
【技術分野】
【０００１】
本発明は、リニアモータ内の２通りの巻線と駆動電流を供給する２通りのアンプの組合せを切替えることによって、速度リプル／推力リプルのシステムへの影響を極小に留めることを目的とするものであり、半導体製造装置、液晶製造装置等の広い範囲の産業分野を対象とするリニアモータ駆動装置に関する。
【背景技術】
【０００２】
従来のリニアモータ駆動装置について、図を用いて説明する。
図２は、従来の第１のリニアモータ駆動装置の概略構成図である。図２において、１はドライバであり、上位指令に基づく駆動電流をリニアモータへ供給する。２はリニアモータであり、ドライバ１からの上位指令に基づく駆動電流相当の推力を発生し、接続されるシステムを駆動する。リニアモータ２の巻線方式には、用途に応じて、比較的安価に製造可能な集中巻と推力リプルを極小に抑制することが可能なヘリカル巻（巻線精度を高めた螺旋状の整列巻線）を使い分けて、どちらか一方施される。
１１はダイオードブリッジであり、ドライバ１の電源入力であるＡＣ電源を全波整流して、パワー素子１２１に主回路ＰＮ電圧を供給する。ここでいうＡＣ電源は、単相／３相、１００Ｖ／２００Ｖの別を問わない。１２１はＩＧＢＴ等の半導体パワー素子であり、電流アンプ１３１の出力信号であるＰＷＭゲート信号に基づき、リニアモータ２へ駆動電流を供給する。１４１はシャント抵抗であり、パワー素子１２１とリニアモータ２との間の出力ラインに駆動電流を検出する手段として配備され、検出電圧を電流アンプ１３１へフィードバックする。１５１はヒューズであり、過電流／過負荷等の際、リニアモータ２の焼損防止等の保護機能として働き、その動作信号を電流アンプ１３１へフィードバックする。１３１は電流アンプであり、上位指令と電流検出フィードバック信号を入力値とした電流制御を司り、上位指令と電流検出フィードバック信号との偏差とその内部のキャリア発生手段からＰＷＭゲート信号を生成し、パワー素子１２１をＰＷＭ制御する。また、保護機能のフィードバック信号が動作した際、ベースブロックする等のしかるべきシーケンス処理を施す。ここでいう電流アンプは、アナログ電流制御／ディジタル電流制御の別を問わない。ディジタル電流制御の場合、電流制御演算はＣＰＵで行い、上位電流指令と電流検出フィードバック信号等の入力信号がアナログ信号であれば、Ａ／Ｄ変換器を備える。
図３は、従来の第２のリニアモータ駆動装置の概略構成図である。図３において、１はドライバであり、上位指令に基づく駆動電流をリニアモータへ供給する。２はリニアモータであり、ドライバ１からの上位指令に基づく駆動電流相当の推力を発生し、接続されるシステムを駆動する。リニアモータ２の巻線方式には、用途に応じて、比較的安価に製造可能な集中巻と推力リプルを極小に抑制することが可能なヘリカル巻を使い分けて、どちらか一方施される。
１６は安定化電源であり、ドライバ１の電源入力であるＡＣ電源からパワー素子１２２に主回路ＰＮ電圧を供給する。ここでいうＡＣ電源は、単相／３相、１００Ｖ／２００Ｖの別を問わない。１２２はＭＯＳＦＥＴ等の高速スイッチング特性の半導体パワー素子であり、電流アンプ１３２の出力信号である上位指令と電流検出フィードバック信号との偏差に基づき、リニアモータ２へ駆動電流を供給する。１４１はシャント抵抗であり、パワー素子１２１とリニアモータ２との間の出力ラインに駆動電流を検出する手段として配備され、検出電圧を電流アンプ１３２へフィードバックする。１５２はヒューズであり、過電流／過負荷等の際、リニアモータ２の焼損防止等の保護機能として働き、その動作信号を電流アンプ１３２へフィードバックする。１３２は電流アンプであり、上位指令と電流検出フィードバック信号を入力値とした電流制御を司り、上位指令と電流検出フィードバック信号との偏差とその内部のキャリア発生手段からＰＷＭゲート信号を生成し、パワー素子１２２をＰＷＭ制御する。ここでいうキャリア発生手段は、ＭＯＳＦＥＴ等の高速スイッチング特性の半導体パワー素子を使用するため、ＩＧＢＴ等の半導体パワー素子のそれより一段と高いキャリア周波数を設定でき、小推力時の電流リプル／波形歪を更に小さくすることが出来る。また、保護機能のフィードバック信号が動作した際、ゼロ指令入力等のしかるべきシーケンス処理を施す。
このように、従来のリニアモータ駆動装置は、上位指令に基づく駆動電流をリニアモータへ供給して、システムを駆動するのである。
【特許文献１】特開平９−２３８０３１号公報
【発明の開示】
【発明が解決しようとする課題】
【０００３】
しかしながら、従来のリニアモータ駆動装置は、ドライバのキャリア周波数設定は、使用するパワー素子に依りその上限値が限られており、また、リニアモータの巻線方式は、集中巻、あるいは、ヘリカル巻のどちらか一方であった。そのため、以下のような問題点があり、加減速時に大推力、一定速時に小推力／低速度リプル／低推力リプルを要求される用途に対し、従来のリニアモータ駆動装置は、リニアモータとアンプとで個別に要求仕様に対応していたため、追求する性能に限界があった。
（１）ＩＧＢＴ等の半導体パワー素子を使用するＰＷＭ制御は、高耐圧・大電流のラインナップがあり、大容量のリニアモータ駆動が可能であるが、そのスイッチング特性によりキャリア周波数に上限があり、推力リプルに起因する電流リプルを小さくできず、また、0クロス近傍の不感帯の影響により、小推力時の電流制御特性が悪い。
（２）ＭＯＳＦＥＴ等の半導体パワー素子を使用するＰＷＭ制御は、そのスイッチング特性によりキャリア周波数を高く設定でき、推力リプルに起因する電流リプルを小さく、また、0クロス近傍の不感帯の影響を極小にでき、小推力時の電流制御特性を良くすることができるが、高耐圧のラインナップがないため、小容量のリニアモータ駆動しかできない。
（３）集中巻は、安価に製造できるものの、製造上の誘起電圧振幅のばらつきに依るリニアモータ単体の推力リプルが比較的大きい。
（４）ヘリカル巻は、リニアモータ単体の推力リプルは小さいものの、製造面での工夫が必要となり高価となる。
そこで、本発明はこのような問題点に鑑みてなされたものであり、大推力時に適したリニアモータ巻線とアンプの組合せと小推力時に適したリニアモータ巻線とアンプの組合せとを、駆動条件に応じて選択的に切替えることで、速度リプル／推力リプルのシステムへの影響を極小に留めることを特徴とするリニアモータ駆動装置を提供することを目的とする。
【課題を解決するための手段】
【０００４】
上記問題を解決するため、本発明は、次のように構成したのである。
請求項１に記載の発明は、リニアモータと駆動電流を供給するドライバとで構成されたリニアモータ駆動装置において、
前記ドライバ内にリニアモータの駆動電流をＰＷＭ制御するＰＷＭアンプと、前記ドライバ内に前記ＰＷＭアンプよりキャリア周波数が一段と高く、リニアモータの駆動電流をＰＷＭ制御する高キャリアＰＷＭアンプと、前記ドライバ内にＰＷＭアンプと高キャリアＰＷＭアンプの駆動を切替えるアナログスイッチと、前記リニアモータ内に大推力用と小推力用の２通りの巻線を備え、大推力時に適したリニアモータ巻線とアンプの組合せと小推力時に適したリニアモータ巻線とアンプの組合せとを、駆動条件に応じて選択的に切替えることを特徴とするリニアモータ駆動装置である。
このようになっているため、大推力時に適したリニアモータ巻線とアンプの組合せと小推力時に適したリニアモータ巻線とアンプの組合せとを、駆動条件に応じて選択的に切替えることができる。
また、請求項２に記載の発明は、前記アナログスイッチは、上位からのアンプ切替え信号により、上位指令と後段のＰＷＭアンプ、または高キャリアＰＷＭアンプとの接続を選択し、選択しなかったアンプにはゼロ指令を供給し、リニアモータを駆動することを特徴とするものである。
このようになっているため、駆動条件に応じて、ＰＷＭアンプか高キャリアＰＷＭアンプを使用することができ、使用していないアンプの入力はゼロ指令となるため、出力への影響をなくすことができる。
また、請求項３に記載の発明は、リニアモータに大推力用巻線（集中巻での巻線）と小推力用巻線（ヘリカル巻での巻線）を施し、各巻線への接続端子を備えることを特徴とするものである。
このようになっているため、精度を問わない大推力時には、大推力用巻線に駆動電流を供給することができ、精度を要求される小推力時には、小推力用巻線に駆動電流を供給することができる。
また、請求項４に記載の発明は、上位からのアンプ切替え信号により、大推力指令時にリニアモータをＰＷＭアンプで駆動することを特徴とするものである。
このようになっているため、システムの加減速時に大推力が必要な場合、高耐圧・大電流なパワー素子を使用することができるため、大容量のリニアモータ駆動が可能であり、リニアモータ巻線設計においても極力損失を抑えることができる。
また、請求項５に記載の発明は、上位からのアンプ切替え信号により、小推力指令時にリニアモータを高キャリアＰＷＭアンプで駆動することを特徴とするものである。
このようになっているため、システムの一定速時に小推力／低速度リプル／低推力リプルが必要な場合、キャリア周波数を高いため、推力リプルに起因する電流リプルを小さく、また、0クロス近傍の不感帯の影響を極小にでき、小推力時の電流制御特性を良くすることができる。
また、請求項６に記載の発明は、高キャリアＰＷＭアンプに高スイッチング特性のパワー素子を採用することにより、高いキャリア周波数でＰＷＭ制御することを特徴とするものである。
このようになっているため、小推力時の電流リプル／波形歪を小さくすることができる。
また、請求項７に記載の発明は、システムの駆動は、ＰＷＭアンプでリニアモータの集中巻巻線に、また、高キャリアＰＷＭアンプでリニアモータのヘリカル巻巻線に駆動電流を供給する組合せとすることを特徴とするものである。
このようになっているため、システムの加減速時の大推力が必要で、精密な電流制御特性を必要としない場合、比較的安価にできるアンプとモータの組合せでシステムを駆動することができる。また、システムの一定速時に小推力／低速度リプル／低推力リプルが必要で、精密な電流制御特性を必要とする場合、電流制御特性がよいアンプとリニアモータ単体でも推力リプルが小さく出来るモータの組合せでシステムを駆動することができる。
また、前記リニアモータを半導体製造装置または液晶製造装置の精密位置決め装置に適用したことを特徴とするものである。
【発明の効果】
【０００５】
本発明のリニアモータ駆動装置によれば、以下のような効果がある。
（１）ドライバが２通りの異なるキャリア周波数による電流制御方式とリニアモータが２通りの巻線方式を有しているため、大推力時に適したリニアモータ巻線とアンプの組合せと小推力時に適したリニアモータ巻線とアンプの組合せとを、駆動条件に応じて選択的に切替えることで、速度リプル／推力リプルのシステムへの影響を極小に留めることができる。
（２）アンプ切替え信号により短時間でアナログスイッチを切替えるため、システムへの切替えの影響を極小に留めることができる。
（３）ドライバ／リニアモータ共に、大推力用と小推力用として、それぞれの特長を出せるものを有しているため、個別に有するものより、要求仕様に対して、更に追究する事ができる。
【発明を実施するための最良の形態】
【０００６】
以下、本発明の具体的実施例を図に基づいて説明する。
【実施例】
【０００７】
図１は、本発明のリニアモータ駆動装置の概略構成図である。図において、リニアモータ２は、大推力発生時にのみ使用する集中巻巻線方式の大推力用巻線２１と小推力発生時にのみ使用するヘリカル巻巻線方式の小推力用巻線２２の２通りの巻線を有し、ドライバ１との各巻線への接続端子を備える。ドライバ１は，ＰＷＭアンプ（ダイオードブリッジ１１とパワー素子１２１、電流アンプ１３１、シャント抵抗１４１、ヒューズ１５１で構成される）と高キャリアＰＷＭアンプ（安定化電源１６とパワー素子１２２、電流アンプ１３２、シャント抵抗１４２、ヒューズ１５２で構成される）、上位からのアンプ切替え信号により切替えることが可能なアナログスイッチ１７を備える。
そしてその動作は、以下のとおりである。上位からのアンプ切替え信号は、設定された閾値と上位指令との比較により、出力される。設定された閾値は、少なくとも、システムの一定速時推力より若干高いくらいの値である。
システムが停止状態の場合、アンプ切替え信号は高キャリアＰＷＭアンプを選択しており、上位指令に基づいた駆動電流をパワー素子１２２を介して、ヘリカル巻巻線方式の小推力用巻線２２に供給し、高停止時精度／低振動な制御特性を実現できる。
システムが加減速時の場合、上位指令が設定された閾値を超えたところで、アンプ切替え信号はＰＷＭアンプを選択し、上位指令に基づいた駆動電流をパワー素子１２１を介して、集中巻巻線方式の大推力用巻線２１に供給し、高効率・高加減速な制御特性を実現できる。
システムが一定速時の場合、上位指令が設定された閾値を下回ったところで、アンプ切替え信号は、再度、高キャリアＰＷＭアンプを選択し、上位指令に基づいた駆動電流をパワー素子１２２を介して、ヘリカル巻巻線方式の小推力用巻線２２に供給し、高精度／低速度リプル／低推力リプルな制御特性を実現できる。
それぞれの場合、アンプ切替え信号で選択されなかったアンプの入力信号は、ゼロ指令となり、決してリニアモータ出力側に影響するものではない。
【図面の簡単な説明】
【０００８】
【図１】本発明のリニアモータ駆動装置の概略構成図
【図２】従来の第１のリニアモータ駆動装置の概略概略図
【図３】従来の第２のリニアモータ駆動装置の概略構成図
【符号の説明】
【０００９】
１  ドライバ
２  リニアモータ
１１  ＤＢ（ダイオードブリッジ）
１６  安定化電源
１７  アナログスイッチ
２１  大推力用巻線
２２  小推力用巻線
１２１、１２２  パワー素子
１３１、１３２  電流アンプ
１４１、１４２  シャント抵抗
１５１、１５２  ヒューズ
【図１】
2005080452.tif 000003
【図２】
2005080452.tif 000004
【図３】
2005080452.tif 000005